(57)【要約】【課題】所望の画像データを簡単に探し出すことができるように画像データを記録媒体に記録する記録プログラム及び記録媒体の提供。【解決手段】コンピュータを、画像データの記録構造や管理データの記述を参照して、入力された画像データや選択された画像データと、記憶手段に記憶された画像データの中の、過去の又は他の記録媒体作成時にバックアップされたサムネイル画像データなどの特定種類の画像データの一部又は全部とを関連付ける関連付け手段、記録手段に、入力された画像データ又は選択された画像データと、特定種類の画像データ又は該特定種類の画像データに基づいて生成された画像データとを記録媒体の識別情報に関連付けて記録媒体に記録させる記録制御手段、として機能させる。これにより、新たな記録媒体を利用して過去の又は他の記録媒体に記録された画像データを再生可能にする。【選択図】図１２
2006228271.tif 000002
【特許請求の範囲】
【請求項１】
画像データを記録媒体に書き込むための記録プログラムであって、
コンピュータを、
画像データの記録構造又は管理データの記述を参照して、入力された画像データと、記憶手段に予め記憶された画像データの中の特定種類の画像データと、を関連付ける関連付け手段、として機能させることを特徴とする記録プログラム。
【請求項２】
前記記憶手段には、少なくとも、過去に作成した記録媒体に記録された前記特定種類の画像データがバックアップされており、
前記関連付け手段では、前記入力された画像データと、過去に作成した一部又は全部の前記記録媒体に対応する前記特定種類の画像データと、を関連付けることを特徴とする請求項１記載の記録プログラム。
【請求項３】
画像データを記録媒体に書き込むための記録プログラムであって、
コンピュータを、
画像データの記録構造又は管理データの記述を参照して、前記記憶手段に予め記憶された画像データの中から選択された画像データと、前記記憶手段に予め記憶された画像データの中の特定種類の画像データと、を関連付ける関連付け手段、として機能させることを特徴とする記録プログラム。
【請求項４】
前記記憶手段には、少なくとも、過去に作成した記録媒体に記録された前記特定種類の画像データがバックアップされており、
前記関連付け手段では、前記選択された画像データと、前記選択された画像データが記録された記録媒体を除く一部又は全部の前記記録媒体に対応する前記特定種類の画像データと、を関連付けることを特徴とする請求項３記載の記録プログラム。
【請求項５】
コンピュータを、
記録手段に、少なくとも、前記入力された画像データ又は前記選択された画像データと、前記特定種類の画像データ又は該特定種類の画像データに基づいて生成された画像データとを、対応する記録媒体の識別情報に関連付けて前記記録媒体に記録させる手段、として機能させることを特徴とする請求項１乃至４のいずれか一に記載の記録プログラム。
【請求項６】
前記特定種類の画像データは、オリジナル画像データ、サムネイル画像データ及びスクリーンネイル画像データの中から選択される１種類以上の画像データを含むことを特徴とする請求項１乃至５のいずれか一に記載の記録プログラム。
【請求項７】
前記画像データの記録構造とは、前記画像データを格納するフォルダの構造、前記フォルダの名称、又は前記画像データのファイル名のいずれかを含むことを特徴とする請求項１乃至６のいずれか一に記載の記録プログラム。
【請求項８】
入力された画像データと、
画像データの記録構造又は管理データの記述を参照して前記入力された画像データに関連付けられた、記憶手段に記憶された画像データの中の特定種類の画像データ又は該特定種類の画像データに基づいて生成された画像データと、が少なくとも記録されていることを特徴とする記録媒体。
【請求項９】
前記記憶手段には、少なくとも、過去に作成した記録媒体に記録された前記特定種類の画像データがバックアップされており、
前記記録媒体には、前記入力された画像データと、過去に作成した一部又は全部の前記記録媒体に対応する前記特定種類の画像データ又は該特定種類の画像データに基づいて生成された画像データとが、対応する記録媒体の識別情報に関連付けて記録されていることを特徴とする請求項８記載の記録媒体。
【請求項１０】
記憶手段に予め記憶された画像データの中から選択された画像データと、
画像データの記録構造又は管理データの記述を参照して前記選択された画像データに関連付けられた、前記記憶手段に予め記憶された画像データの中の特定種類の画像データ又は該特定種類の画像データに基づいて生成された画像データと、が少なくとも記録されていることを特徴とする記録媒体。
【請求項１１】
前記記憶手段には、少なくとも、過去に作成した記録媒体に記録された前記特定種類の画像データがバックアップされており、
前記記録媒体には、前記選択された画像データと、前記選択された画像データが記録された記録媒体を除く一部又は全部の前記記録媒体に対応する前記特定種類の画像データ又は該特定種類の画像データに基づいて生成された画像データとが、対応する記録媒体の識別情報に関連付けて記録されていることを特徴とする請求項１０記載の記録媒体。
【請求項１２】
前記特定種類の画像データは、オリジナル画像データ、サムネイル画像データ及びスクリーンネイル画像データの中から選択される１種類以上の画像データを含むことを特徴とする請求項８乃至１１のいずれか一に記載の記録媒体。
【請求項１３】
前記データの記録構造とは、前記画像データを格納するフォルダの構造、前記フォルダの名称、又は前記画像データのファイル名のいずれかを含むことを特徴とする請求項８乃至１２のいずれか一に記載の記録媒体。
【発明の詳細な説明】
【技術分野】
【０００１】
本発明は、画像データを記録媒体に記録するための記録プログラム及び記録媒体に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成（エンコード）し、該動画データに基づいてＤＶＤプレーヤやＤＶＤレコーダ、ＨＤＤレコーダ、ゲーム機などの家電機器で再生可能なデータ（以下、家電機器用データと呼ぶ。）を生成（オーサリング）し、生成したデータを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データを記録媒体に書き込んだり、コンピュータ機器のハードディスクにバックアップすることもできる。
【０００６】
【特許文献１】特開平１１−８８１７号公報（第３−４頁、第１図）
【発明の開示】
【発明が解決しようとする課題】
【０００７】
上記サービスを利用することにより、ネガフィルムから読み取った画像データや、デジタルカメラ、メディアから読み取った画像データなどが記録された記録媒体を入手することができ、この記録媒体を用いることによって写真画像を電子アルバムとして保管することができるが、上記サービスを頻繁に利用するユーザの場合、記録媒体の数が多くなり、どの記録媒体にどのような画像データが記録されているかが分からなくなってしまい、所望の画像データを探し出すためには記録媒体を一つ一つコンピュータ機器などに装填して画像データを再生させて確認しなければならず、画像データの管理が困難になるという問題があった。
【０００８】
本発明は、上記問題点に鑑みてなされたものであって、その主たる目的は、所望の画像データを簡単に探し出すことができるように画像データを記録媒体に記録する記録プログラム及び該記録プログラムにより画像データが記録された記録媒体を提供することにある。
【課題を解決するための手段】
【０００９】
上記目的を達成するため、本発明の記録プログラムは、画像データを記録媒体に書き込むための記録プログラムであって、コンピュータを、画像データの記録構造又は管理データの記述を参照して、入力された画像データと、記憶手段に予め記憶された画像データの中の特定種類の画像データと、を関連付ける関連付け手段、として機能させるものであり、前記記憶手段には、少なくとも、過去に作成した記録媒体に記録された前記特定種類の画像データがバックアップされており、前記関連付け手段では、前記入力された画像データと、過去に作成した一部又は全部の前記記録媒体に対応する前記特定種類の画像データと、を関連付ける構成とすることができる。
【００１０】
また、本発明の記録プログラムは、画像データを記録媒体に書き込むための記録プログラムであって、コンピュータを、画像データの記録構造又は管理データの記述を参照して、前記記憶手段に予め記憶された画像データの中から選択された画像データと、前記記憶手段に予め記憶された画像データの中の特定種類の画像データと、を関連付ける関連付け手段、として機能させるものであり、前記記憶手段には、少なくとも、過去に作成した記録媒体に記録された前記特定種類の画像データがバックアップされており、前記関連付け手段では、前記選択された画像データと、前記選択された画像データが記録された記録媒体を除く一部又は全部の前記記録媒体に対応する前記特定種類の画像データと、を関連付ける構成とすることができる。
【００１１】
本発明においては、コンピュータを、記録手段に、少なくとも、前記入力された画像データ又は前記選択された画像データと、前記特定種類の画像データ又は該特定種類の画像データに基づいて生成された画像データとを、対応する記録媒体の識別情報に関連付けて前記記録媒体に記録させる手段、として機能させる構成とすることができる。
【００１２】
また、本発明においては、前記特定種類の画像データは、オリジナル画像データ、サムネイル画像データ及びスクリーンネイル画像データの中から選択される１種類以上の画像データを含むことが好ましい。
【００１３】
また、本発明においては、前記画像データの記録構造とは、前記画像データを格納するフォルダの構造、前記フォルダの名称、又は前記画像データのファイル名のいずれかを含むことが好ましい。
【００１４】
また、本発明の記録媒体は、入力された画像データと、画像データの記録構造又は管理データの記述を参照して前記入力された画像データに関連付けられた、記憶手段に記憶された画像データの中の特定種類の画像データ又は該特定種類の画像データに基づいて生成された画像データと、が少なくとも記録されているものであり、前記記憶手段には、少なくとも、過去に作成した記録媒体に記録された前記特定種類の画像データがバックアップされており、前記記録媒体には、前記入力された画像データと、過去に作成した一部又は全部の前記記録媒体に対応する前記特定種類の画像データ又は該特定種類の画像データに基づいて生成された画像データとが、対応する記録媒体の識別情報に関連付けて記録されている構成とすることができる。
【００１５】
また、本発明の記録媒体は、記憶手段に予め記憶された画像データの中から選択された画像データと、画像データの記録構造又は管理データの記述を参照して前記選択された画像データに関連付けられた、前記記憶手段に予め記憶された画像データの中の特定種類の画像データ又は該特定種類の画像データに基づいて生成された画像データと、が少なくとも記録されているものであり、前記記憶手段には、少なくとも、過去に作成した記録媒体に記録された前記特定種類の画像データがバックアップされており、前記記録媒体には、前記選択された画像データと、前記選択された画像データが記録された記録媒体を除く一部又は全部の前記記録媒体に対応する前記特定種類の画像データ又は該特定種類の画像データに基づいて生成された画像データとが、対応する記録媒体の識別情報に関連付けて記録されている構成とすることができる。
【００１６】
このように、本発明によれば、新たに作成した記録媒体を利用するだけで、どの記録媒体にどのような画像データが記録されているかを簡単に確認することができるため、画像データの管理を容易にすることができる。
【発明の効果】
【００１７】
本発明の記録プログラム及び記録媒体によれば、新たな記録媒体を利用するだけで、どの記録媒体にどのような画像データが記録されているかを簡単に確認することができ、これにより画像データの管理を容易にすることができる。
【００１８】
その理由は、新たな記録媒体を作成する際に、画像データの記録構造や管理データの記述などを参照して、メディアなどから入力された画像データと、記憶手段に予め記憶された画像データの中の、過去の記録媒体作成時にバックアップされた特定種類の画像データの一部又は全部とが関連付けられ、新たな記録媒体には、入力された画像データと、特定種類の画像データ又は該特定種類の画像データに基づいて生成された画像データとが、対応する記録媒体の識別情報に関連付けて記録されるため、新たに作成した記録媒体をコンピュータ機器などで再生するだけで、過去の記録媒体に記録された画像データも再生することができるからである。
【００１９】
また、新たな記録媒体を作成する際に、画像データの記録構造や管理データの記述などを参照して、記憶手段に予め記憶された画像データの中から選択された画像データと、記憶手段に予め記憶された画像データの中の、過去の記録媒体作成時にバックアップされた特定種類の画像データの一部又は全部とが関連付けられ、新たな記録媒体には、選択された画像データと、特定種類の画像データ又は該特定種類の画像データに基づいて生成された画像データとが、対応する記録媒体の識別情報に関連付けて記録されるため、新たに作成した記録媒体をコンピュータ機器などで再生するだけで、他の記録媒体に記録された画像データも再生することができるからである。
【発明を実施するための最良の形態】
【００２０】
本発明に係る記録プログラムは、その好ましい一実施の形態において、コンピュータを、予め定められたルールに従って生成されたフォルダの構造やフォルダ名、ファイル名、管理データの記述などを参照して、メディアなどから入力された画像データ又は記憶手段に予め記憶された画像データの中から選択された画像データと、過去の記録媒体作成時にバックアップされた縮小画像データなどの特定種類の画像データの一部又は全部とを関連付ける関連付け手段、記録手段に、入力された又は選択された画像データと、特定種類の画像データ又は該特定種類の画像データに基づいて生成された画像データとを、対応する記録媒体の識別情報に関連付けて記録媒体に記録させる記録制御手段、として機能させるものであり、新たな記録媒体を再生するだけで、過去の又は他の記録媒体に記録された画像データも再生することができるため、どの記録媒体にどのような画像データが記録されているかを簡単に確認することができ、画像データの管理を容易にすることができる。
【実施例１】
【００２１】
上記実施形態について詳細に説明すべく、本発明の第１の実施例に係る記録プログラム及び記録媒体について、図１乃至図１６を参照して説明する。図１は、本発明の第１の実施例に係る記録装置の構成を模式的に示す図であり、図２乃至図５は、記録装置の他の構成を模式的に示す図である。また、図６は、記録装置の機能を示すブロック図であり、図７は、本実施例に係る記録媒体の作成手順を示すフローチャート図である。また、図８乃至図１０は、ハードディスク内の画像データの記録構造を示す図であり、図１１は、管理データの構成例を示す図、図１２は、記録媒体内の画像データの記録構造を示す図である。また、図１３は、記録媒体における画像データの記録領域を示す図、図１４は記録媒体（ＣＤ−Ｒ）の構造を模式的に示す図、図１５及び図１６は、コンピュータ機器などの表示手段に表示される画面の構成例を示す図である。
【００２２】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２と、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３と、インターネット等の通信ネットワーク１１を介してサーバ１０に接続するネットワーク接続部と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２３】
また、記録装置１に備える主な手段をブロック図で示すと図６のようになり、メディア装填部２、機器接続部３、ネットワーク接続部等を用いて画像データ（静止画像データ又は動画データの少なくとも一方）を入力するデータ入力手段１２と、入力された画像データに基づいて、ＤＶＤプレーヤやＤＶＤレコーダ、ＨＤＤレコーダ、ゲーム機などの家電機器で再生可能な家電機器用データを生成したり、サムネイル画像データやスクリーンネイル画像データなどの縮小画像データを生成するなどの処理を行うデータ生成手段１３と、過去の記録媒体作成時にバックアップされた画像データなどを記憶するハードディスクなどの記憶手段１４と、記憶手段１４に記憶された画像データの記録構造（フォルダ構造やフォルダ名、ファイル名）や記憶手段１４に記憶された管理データの記述を参照して、入力された画像データと、記憶手段１４に予め記憶された画像データの中の、過去の記録媒体作成時にバックアップされた縮小画像データなどの特定種類の画像データの一部又は全部とを関連付ける関連付け手段１５と、記録媒体装填部４に装填された記録媒体９に、入力された画像データと、特定種類の画像データ又は該特定種類の画像データに基づいて生成された画像データとを、対応する記録媒体９の識別情報に関連付けて記録させる記録制御手段１６と、表示手段５及び操作手段６とを備えている。
【００２４】
なお、上記各手段は記録装置１にハードウェアとして構成されていてもよいが、コンピュータを、少なくとも、関連付け手段１５、又は、関連付け手段１５及び記録制御手段１６として機能させる記録プログラムとして構成し、該記録プログラムを記録装置１にインストールして実行する構成としてもよい。また、図１では記録装置１としてパーソナルコンピュータなどのコンピュータ機器を示しているが、記録装置１の形態は任意であり、例えば、図２に示すように専用のセットトップボックスとしたり、図３に示すようにポータブルライターとしたり、図４に示すように演算処理機能を備えたＤＶＤレコーダやＨＤＤレコーダなどとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２５】
次に、上記記録装置１を用いて、入力された画像データと特定種類の画像データとを関連付けて記録媒体９に記録する手順について、図７のフローチャート図を参照して説明する。なお、以下では、理解を容易にするために記憶手段１４には予め２つの記録媒体（第１の記録媒体及び第２の記録媒体）作成時にバックアップされた画像データが記憶されているものとするが、バックアップ元の記録媒体９の数は任意であり、少なくとも１以上の記録媒体作成時にバックアップされた画像データが記憶されていればよく、また、画像データとしてはオリジナル画像データ、サムネイル画像データ又はスクリーンネイル画像データの内のいずれか一つが記憶されていればよい。
【００２６】
まず、ステップＳ１０１で、記録装置１のメディア装填部２にメディア８を装填、又は、機器接続部３にデジタルカメラ７やカメラ付き携帯電話機７ａを接続し、ステップＳ１０２で、デジタルカメラ７やメディア８から画像データを読み取り、必要に応じて、その中から記録媒体９に記録する画像データを選択したり、画像データを回転させるなどの編集を行う。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１０などであってもよい。
【００２７】
次に、ステップＳ１０３で、データ生成手段１３は、必要に応じて、入力された画像データ又はその中から選択された画像データ（以下、単に入力された画像データと記述する。）に基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、読み取った画像データのデータサイズを縮小したサムネイル画像データやスクリーンネイル画像データなどの縮小画像データを作成する。また、必要に応じて、予め定められたルールに従って画像データや縮小画像データのファイル名をリネームする。
【００２８】
次に、関連付け手段１５は、入力された画像データと特定種類の画像データとの関連付けを行う。具体的には、例えば、図８に示すように、記録装置１の記憶手段１４の所定のドライブ（ここではＣドライブ）に画像データの格納場所を示すフォルダ（PS_Rollフォルダ、以下、PSフォルダと略す。）が生成され、このフォルダの下位の階層に記録媒体９毎のデータの格納場所を示すフォルダ（ROYYMMDDyyy_XXXXXXAABxxxフォルダ、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号、以下、ROフォルダと略す。）が生成され、各々のROフォルダ内に所定のファイル名（CCYYMMDDxxxxxx、CC：データの種別、YYMMDD：書き込み年月日を特定する数字、xxxxxx：シーケンシャル番号）の画像データやサムネイル画像データ、スクリーンネイル画像データが格納されているとする。
【００２９】
その場合、関連付け手段１５は、ステップＳ１０４で、ＣドライブのPSフォルダ内にROフォルダがあるかを調べ、ROフォルダがある場合は、ステップＳ１０５で、入力された画像データと、一部又は全部のROフォルダに記録されている特定種類の画像データ（例えば、THMフォルダ内に格納されているサムネイル画像データ）とを関連付ける。また、Ｃドライブ内にファイル名がCCYYMMDDxxxxxxの画像データがあるかを調べ、該ファイル名の画像データがある場合は、入力された画像データと、該ファイル名の画像データの中の特定種類の画像データ（例えば、ファイル名がTHで始まるサムネイル画像データ）の一部又は全部とを関連付ける。
【００３０】
また、画像データが上記フォルダ構造やフォルダ名、ファイル名で記憶されていないが、例えば、図１０（ａ）に示すように、特定の管理データ（info001.txtやinfo002.txtなど）が記憶されており、各々の管理データに、例えば、図１１に示すように記録媒体９の識別情報（Medium ID）や各々の画像データの記憶場所を示す情報（Path）、各々の画像データのファイル名などが記述されている場合には、入力された画像データと、その管理データで指定される場所に記憶されているデータの中の特定種類の画像データ（例えば、<THUMBNAIL IMAGES>に記述されている画像データ）の一部又は全部とを関連付ける。
【００３１】
なお、図８に示すフォルダ構造やフォルダ名、ファイル名は例示であり、予め定められたルールに従って生成されたフォルダ構造やフォルダ名、ファイル名であればよい。また、図１１に示す管理データの記述も例示であり、少なくとも、記録媒体９を識別するための識別情報と、各々の画像データの記憶場所を示す情報と、各々の画像データを特定する情報とが記述されていればよい。また、管理データは記録装置１が認識できる形式のデータであればよく、写真業界で推奨されている専用のファイル（ｐｖｍ形式のファイル）としてもよいし、メタデータとしてもよい。
【００３２】
上記ステップで入力された画像データに関連付けされた特定種類の画像データはそのままの形態で記録媒体９に記録してもよいが、特定種類の画像データの数が多い場合や特定種類の画像データとしてオリジナル画像データを用いる場合にはデータの容量が大きくなり、全ての特定種類の画像データを記録できない恐れがある。そこで、ステップＳ１０６で、必要に応じて、データ生成手段１３は、例えば、記録媒体９毎のサムネイル画像データに基づいて、記録媒体９毎の複数のサムネイル画像を合成した１つのインデックス画像データを生成したり、オリジナル画像データに基づいてサムネイル画像データを生成するなど、特定種類の画像データに基づいて新たな画像データを生成する。
【００３３】
次に、ステップＳ１０７で、記録媒体装填部４に記録媒体９を装填する。この記録媒体９として、市販されている任意の記録媒体９を用いることができるが、特定の記録媒体９のみ利用できるようにしてもよく、その場合は、ステップＳ１０８で、記録媒体９の所定の領域に記録媒体９を識別するための識別情報が記録されているか否かに基づいて記録媒体９を特定することができる。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータの書き込みを許可するために設けるものであり、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３４】
ここで、一般的な記録媒体９の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３５】
その後、各種データを記録媒体９（ここでは第３の記録媒体９）に記録するが、家電機器ではデータを読み込むことができる記録領域が限定されるため、まず、ステップＳ１０９で、記録制御手段１６は、必要に応じて生成した家電機器用データを記録媒体９の論理アドレス領域の内周側の領域に記録した後、ステップＳ１１０で必要に応じてセッションをクローズする。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まない領域である。
【００３６】
次に、ステップＳ１１１で、入力された画像データや該画像データに基づいて生成された縮小画像データなど（以下、単に入力された画像データと記す。）と、特定種類の画像データ又は該特定種類の画像データに基づいて生成された画像データ（以下、単に特定種類の画像データと記す。）などをその外側の領域に記録する。その際、入力された画像データと特定種類の画像データとをそのまま記録してもよいが、予め定められたルールに従って対応する記録媒体９の識別情報に基づいてフォルダを作成し、そのフォルダに入力された画像データと特定種類の画像データとを区分して記録すれば、入力された画像データと特定種類の画像データとを識別情報に基づいて容易に識別することができる。また、必要に応じて、入力された画像データや特定種類の画像データに関する情報を記述した管理データを記録すれば、画像データの管理を容易にすることもできる。
【００３７】
次に、ステップＳ１１２で、必要に応じて、記憶手段１４に入力された画像データを、記憶手段１４における画像データの記録構造を維持してバックアップする。例えば、記録制御手段１６は、記憶手段１４の所定の場所に予め定められたルールに従って対応する記録媒体９の識別情報に基づいてフォルダを作成し、そのフォルダに入力された画像データを区分して記憶し、また、必要に応じて入力された画像データに関する情報を記述した管理データを合わせて記録する。
【００３８】
上記手順で作成された記録媒体９は、例えば、図１３に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には必要に応じて家電機器用データが記録され、更に家電機器用データの外周側の領域には入力された画像データと特定種類の画像データなどのコンピュータ機器用データが記録される。
【００３９】
また、記録媒体９のディレクトリ構造は例えば図１２（ａ）に示すようになり、PSフォルダ内のROフォルダに、入力された画像データ及び管理データ（info003.txt）が格納され、Historyフォルダ内の各々のROフォルダに、記録媒体９毎の特定種類の画像データ（ここでは２つの記録媒体作成時にバックアップされた２つのグループのサムネイル画像データ）及び管理データ（info001.txt又はinfo002.txt）が格納され、必要に応じてAPPLフォルダ内に、画像データをスライドショーとして表示させるためのアプリケーションや設定ファイルなどが格納されてコンピュータ機器用データが構成される。
【００４０】
また、Ｖｉｄｅｏ−ＣＤ形式のデータを生成した場合は例えば図１２（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどの家電機器用データが記録され、ＤＶＤ−Ｖｉｄｅｏ形式のデータを生成した場合は例えば図１２（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などの家電機器用データが記録される。
【００４１】
なお、ここでは特定種類の画像データとしてサムネイル画像データを記録しているが、特定種類の画像データは、過去の記録媒体９に記録された画像データを識別できるデータであればよく、サムネイル画像データの代わりにステップＳ１０８で生成したインデックス画像データを記録してもよいし、記録媒体９の記録容量に余裕がある場合には、サムネイル画像データの代わりに又はサムネイル画像データに加えてスクリーン画像データを記録してもよいし、これらのデータの代わりに又はこれらのデータに加えてオリジナル画像データを記録してもよい。また、管理データを利用すれば所定の記録媒体９にどのような画像データが記録されているかを知ることができることから、管理データのみを記録する構成としてもよい。また、図１２では、記憶手段１４に予め記憶された全ての特定種類の画像データを記録媒体９にバックアップしたが、一部（例えば、一部の記録媒体９に対応する特定種類の画像データや各々の記録媒体９に対応する特定種類の画像データの一部など）をバックアップしてもよい。
【００４２】
また、入力された画像データをバックアップした後の記憶手段１４のディレクトリ構造は図９（又は図１０（ｂ））に示すようになり、図８（又は図１０（ａ））の画像データ及び管理データに、新たな記録媒体９に記録された入力された画像データや管理データが追加される。
【００４３】
そして、上記手順で作成した記録媒体９を所定のアルバム表示プログラムがインストールされたコンピュータ機器などに装填すると、表示手段には、例えば、図１５に示すような画像一覧画面１７が表示される。この画像一覧画面１７には、作成した記録媒体９に記録されている画像データを記録媒体９毎に区分するための識別情報（ここでは新たに作成した第３の記録媒体９の識別情報”051F001”と、過去に作成した第１及び第２の記録媒体９の識別情報”048C001”及び”04CT001”）が表示されるタグ表示欄１８と、選択された識別情報の記録媒体９に対応する画像データを一覧表示するアルバム表示欄１９とが設けられており、例えば、”048C001”を選択すると、第１の記録媒体９に対応する関連データ（サムネイル画像データなど）の画像が一覧表示され、ユーザはこの画像を見て、過去に作成した第１の記録媒体９にどのような画像データが記録されているかを確認することができる。また、サムネイル画像データの代わりにインデックス画像データが記録されている場合は、図１６に示すようにインデックス画像データの画像が表示され、同様に、ユーザはこの画像を見て、第１の記録媒体９にどのような画像データが記録されているかを確認することができる。
【００４４】
このように、本実施例では、新たな記録媒体９を作成する場合に、関連付け手段１５では、入力された画像データと、記憶手段１４に予め記憶された画像データの中の、過去の記録媒体作成時にバックアップされた特定種類の画像データの一部又は全部とを関連付け、記録制御手段１６では、入力された画像データや該画像データに基づいて生成された縮小画像データなどと、該入力された画像データに関連付けられた特定種類の画像データ又は該特定種類の画像データに基づいて生成された画像データとを、対応する記録媒体９の識別情報に関連付けて記録するため、作成された記録媒体９をコンピュータ機器などに装填するだけで、過去の記録媒体９にどのような画像データが記録されているかを確認することができ、所望の画像データを簡単に探し出すことができるようになる。
【００４５】
なお、上記フローでは画像データの入力及び関連付けの後に、記録媒体９を装填して記録する手順としたが、例えば、記録媒体９の装填後に関連付けを行うなど、各々のステップの順番は適宜変更することができる。
【実施例２】
【００４６】
次に、本発明の第２の実施例に係る記録プログラム及び記録媒体について、図１７乃至図１９を参照して説明する。図１７は、第２の実施例に係る記録媒体の作成手順を示すフローチャート図であり、図１８は、記録装置の表示手段に表示される画面の構成例を示す図である。また、図１９は、記録媒体内の画像データの記録構造を示す図である。
【００４７】
前記した第１の実施例では、メディア８などから入力した画像データと、過去の記録媒体作成時にバックアップされた特定種類の画像データとを関連付ける場合について示したが、記憶手段１４にバックアップされている画像データに基づいて記録媒体９を作成する場合にも、同様に特定種類の画像データを合わせて記録することができる。その場合の手順について、図１７のフローチャート図を参照して説明する。なお、以下の説明では、記録装置１の記憶手段１４には予め図９（又は図１０（ｂ））に示すような画像データ（第１乃至第３の記録媒体作成時にバックアップされた画像データ）が記憶されているものとするが、少なくとも２以上の記録媒体作成時にバックアップされた画像データが記憶されていればよく、また、画像データとしてはオリジナル画像データ、サムネイル画像データ又はスクリーンネイル画像データの内のいずれか一つが記憶されていればよい。
【００４８】
まず、ステップＳ２０１で、記録装置１の表示手段５に、例えば、図１８に示すような画像一覧画面１７を表示させる。この画像一覧画面１７には、記憶手段１４に記憶されている画像データを記録媒体９毎に区分するための識別情報（ここでは第１乃至第３の記録媒体９の識別情報”048C001”、”04CT001”及び”051F001”）が表示されるタグ表示欄１８と、選択された識別情報の記録媒体９に対応する画像データを一覧表示するアルバム表示欄１９とが設けられており、ステップＳ２０２で、その中から所望の記録媒体９を選択（ここでは”048C001”を選択）すると、所望の記録媒体（ここでは第１の記録媒体９）の作成時にバックアップされた画像データの画像が一覧表示される。
【００４９】
そして、アルバム表示欄１９に表示された画像の中から所望の画像を選択したり、画像を回転させるなどの編集を行った後、記録媒体９の作成を指示すると、ステップＳ２０３で、データ生成手段１３は、必要に応じて、記憶手段１４の中から選択された画像データに基づいて家電機器用データを生成する。
【００５０】
次に、関連付け手段１５は、選択された画像データと特定種類の画像データとの関連付けを行う。具体的には、ステップＳ２０４で、選択された画像データが格納されているフォルダと同じルールに従って生成されているフォルダがあるかを調べ、該構造又は名称のフォルダがある場合は、ステップＳ２０５で、選択された画像データと、選択された画像データが格納されているROフォルダ以外の一部又は全部のROフォルダに記録されている画像データの中の特定種類の画像データ（例えば、THMフォルダ内に格納されているサムネイル画像データ）とを関連付ける。また、選択された画像データのファイル名と同じルールに従って生成されているファイル名のデータがあるかを調べ、該名称の画像データがある場合は、選択された画像データと、該名称の画像データの中の特定種類の画像データ（例えば、ファイル名がTHで始まるサムネイル画像データ）の一部又は全部とを関連付ける。また、特定の管理データがあるかを調べ、特定の管理データがある場合は、該管理データの記述を参照して、選択された画像データと、特定種類の画像データとを関連付ける。
【００５１】
次に、ステップＳ２０６で、データ生成手段１３は、必要に応じて、例えば、記録媒体９毎のサムネイル画像データに基づいて、記録媒体９毎の複数のサムネイル画像を合成した１つのインデックス画像データを生成したり、オリジナル画像データに基づいてサムネイル画像データを生成するなど、特定種類の画像データに基づいて新たな画像データを生成する。
【００５２】
次に、ステップＳ２０７で、記録媒体装填部４に記録媒体９を装填し、ステップＳ２０８で、必要に応じて記録媒体９の所定の領域に記録媒体９を識別するための識別情報が記録されているか否かに基づいて記録媒体９を特定する。
【００５３】
次に、ステップＳ２０９で、記録制御手段１６は、必要に応じて生成した家電機器用データを記録媒体９の論理アドレス領域の内周側の領域に記録した後、ステップＳ２１０で必要に応じてセッションをクローズする。
【００５４】
次に、ステップＳ２１１で、記録制御手段１６は、選択された画像データや該画像データに基づいて生成された縮小画像データなど（以下、単に選択された画像データと記す。）と、該選択された画像データに関連付けられた特定種類の画像データ又は該特定種類の画像データに基づいて生成された画像データなど（以下、単に特定種類の画像データと記す。）とを記録する。その際、第１の実施例と同様に、選択された画像データと特定種類の画像データとをそのまま記録してもよいが、予め定められたルールに従って対応する記録媒体９の識別情報に基づいてフォルダを作成し、そのフォルダに選択された画像データと特定種類の画像データとを区分して記録したり、また、必要に応じて、選択された画像データや特定種類の画像データに関する情報を記述した管理データを合わせて記録すれば、画像データの管理を容易にすることができる。
【００５５】
上記手順で作成された記録媒体９のディレクトリ構造は、例えば図１９に示すようになり、PSフォルダ内のROフォルダに、選択された画像データ（ここでは第１の記録媒体作成時にバックアップされた画像データ）及び管理データ（info001.txt）が格納され、Historyフォルダ内の各々のROフォルダに、記録媒体９毎の特定種類の画像データ（ここでは第２及び第３の記録媒体作成時にバックアップされたサムネイル画像データ）及び管理データ（info002.txt又はinfo003.txt）が格納され、必要に応じてAPPLフォルダ内に、画像データをスライドショーとして表示させるためのアプリケーションや設定ファイルなどが格納されてコンピュータ機器用データが構成され、家電機器用データを生成した場合は、Ｖｉｄｅｏ−ＣＤ形式のデータやＤＶＤ−Ｖｉｄｅｏ形式のデータが記録される。
【００５６】
なお、本実施例でも特定種類の画像データとしてサムネイル画像データを記録しているが、特定種類の画像データは、他の記録媒体９に記録された画像データを識別できるデータであればよく、サムネイル画像データの代わりにステップＳ２０６で生成したインデックス画像データを記録してもよいし、記録媒体９の記録容量に余裕がある場合には、サムネイル画像データの代わりに又はサムネイル画像データに加えてスクリーン画像データを記録してもよいし、これらのデータの代わりに又はこれらのデータに加えてオリジナル画像データを記録してもよい。また、管理データを利用すれば所定の記録媒体９にどのような画像データが記録されているかを知ることができることから、管理データのみを記録する構成としてもよい。また、図１９では、記憶手段１４に予め記憶された全ての特定種類の画像データを記録媒体９にバックアップしたが、一部（例えば、一部の記録媒体９に対応する特定種類の画像データや各々の記録媒体９に対応する特定種類の画像データの一部など）をバックアップしてもよい。
【００５７】
このように、本実施例では、新たな記録媒体９を作成する場合に、関連付け手段１５では、記憶手段１４に予め記憶された画像データの中から選択された画像データと、過去の記録媒体作成時にバックアップされた特定種類の画像データとを関連付け、記録制御手段１６では、選択された画像データや該画像データに基づいて生成された縮小画像データなどと、該選択された画像データに関連付けられた特定種類の画像データ又は該特定種類の画像データに基づいて生成された画像データなどとを、対応する記録媒体９の識別情報に関連付けて記録するため、作成された記録媒体９をコンピュータ機器などに装填するだけで、他の記録媒体９にどのような画像データが記録されているかを確認することができ、所望の画像データを簡単に探し出すことができるようになる。
【００５８】
なお、上記各実施例では、画像データを記録媒体９に記録する場合について示したが、本発明は上記実施例に限定されるものではなく、音楽データなどの画像データ以外の他の種類のデータを書き換える場合についても同様に適用することができる。
【図面の簡単な説明】
【００５９】
【図１】本発明の第１の実施例に係る記録装置の構成を示す外観図である。
【図２】本発明の第１の実施例に係る記録装置の他の構成を示す外観図である。
【図３】本発明の第１の実施例に係る記録装置の他の構成を示す外観図である。
【図４】本発明の第１の実施例に係る記録装置の他の構成を示す外観図である。
【図５】本発明の第１の実施例に係る記録装置の他の構成を示す外観図である。
【図６】本発明の第１の実施例に係る記録装置の機能を示すブロック図である。
【図７】本発明の第１の実施例に係る記録装置を用いた記録媒体の作成手順を示すフローチャート図である。
【図８】本発明の第１の実施例の記録装置の記憶手段における画像データの記録構造を示す図である。
【図９】本発明の第１の実施例の記録装置の記憶手段における画像データの記録構造を示す図である。
【図１０】本発明の第１の実施例の記録装置の記憶手段における画像データの記録構造を示す図である。
【図１１】本発明の第１の実施例の記録装置の記憶手段に記憶された管理データの構成例を示す図である。
【図１２】本発明の第１の実施例の記録媒体における画像データの記録構造を示す図である。
【図１３】本発明の第１の実施例の記録媒体における画像データの記録領域を示す図である。
【図１４】記録媒体（ＣＤ−Ｒ）の構造を模式的に示す図である。
【図１５】コンピュータ機器の表示手段に表示される画面例（画像一覧画面）の構成例を示す図である。
【図１６】コンピュータ機器の表示手段に表示される画面例（画像一覧画面）の構成例を示す図である。
【図１７】本発明の第２の実施例に係る記録装置を用いた記録媒体の作成手順を示すフローチャート図である。
【図１８】本発明の第２の実施例の記録装置の表示手段に表示される画面例（画像一覧画面）の構成例を示す図である。
【図１９】本発明の第２の実施例の記録媒体における画像データの記録構造を示す図である。
【符号の説明】
【００６０】
１  記録装置
２  メディア装填部
３  機器接続部
４  記録媒体装填部
５  表示部
６  操作部
７  デジタルカメラ
７ａ  カメラ付き携帯電話機
８  メディア
９  記録媒体
１０  サーバ
１１  通信ネットワーク
１２  データ入力手段
１３  データ生成手段
１４  記憶手段
１５  関連付け手段
１６  記録制御手段
１７  画像一覧画面
１８  タグ表示欄
１９  アルバム表示欄
【図１】
2006228271.tif 000003
【図２】
2006228271.tif 000004
【図３】
2006228271.tif 000005
【図４】
2006228271.tif 000006
【図５】
2006228271.tif 000007
【図６】
2006228271.tif 000008
【図７】
2006228271.tif 000009
【図８】
2006228271.tif 000010
【図９】
2006228271.tif 000011
【図１０】
2006228271.tif 000012
【図１１】
2006228271.tif 000013
【図１２】
2006228271.tif 000014
【図１３】
2006228271.tif 000015
【図１４】
2006228271.tif 000016
【図１５】
2006228271.tif 000017
【図１６】
2006228271.tif 000018
【図１７】
2006228271.tif 000019
【図１８】
2006228271.tif 000020
【図１９】
2006228271.tif 000021